(57)【要約】【課題】本発明は放送システムに関し、放送情報の取り扱いが簡単で、しかも専門の知識がなくても放送を行なうことができる放送システムを提供することを目的としている。【解決手段】ネットワークからのメールを受信するメールサーバ機能部２と、該メールサーバ機能部２からの信号を受けてデータベースを参照して、回送メールの内容の正常性の確認と、メール送信者の資格の確認を行なう入力チェック部３と、各種情報を記憶するデータベース４と、テキストデータを音声データ又はオーディオデータに変換すると共に、前記データベースを参照して放送依頼者、放送日時を登録する放送原稿管理部５と、前記データベース４の内容を定期的に巡回確認し、放送を実施する必要があるものが登録されているかを監視するスケジュール管理部６と、放送設備の起動条件にあった情報を編集する出力／起動制御部７と、全体の動作を制御する全体制御部８と、により構成される。【選択図】      図１
2004289616.tif 000002
【特許請求の範囲】
【請求項１】
ネットワークからのメールを受信するメールサーバ機能部と、
該メールサーバ機能部からの信号を受けてデータベースを参照して、回送メールの内容の正常性の確認と、メール送信者の資格の確認を行なう入力チェック部と、
放送許可者、放送履歴及びスケジュールを記憶するデータベースと、
テキストデータを音声データ又はオーディオデータに変換すると共に、前記データベースを参照して放送依頼者、放送日時を登録する放送原稿管理部と、
前記データベースの内容を定期的に巡回確認し、放送を実施する必要があるものが登録されているかを監視するスケジュール管理部と、
放送設備の起動条件にあった情報を編集する出力／起動制御部と、
全体の動作を制御する全体制御部と、
により構成される放送システム。
【発明の詳細な説明】
【０００１】
【発明の属する技術分野】
本発明は放送システムに関する。放送設備は、あらゆる方面で使用されており、その取り扱いには専門の担当者があたっているのが現状である。このため、一般の人が放送設備を利用して情報を放送できるようにすることが求められている。本発明は、例えばＣＡＴＶ網での域内での告知放送、公共施設、空港、ホテル等での館内放送において、インターネットに接続されたパソコンや携帯電話のメール機能等を利用してテキスト情報で登録した放送原稿を、自動的に音声データやオーディオ信号に変換することにより、該当対象地域への放送の音源として利用することができるようにした放送システムに関するものである。
【０００２】
【従来の技術】
従来の放送システムとしては、電報を指定の電報受信者に送信して、該電報受信部で受信された電報を編集して、必要に応じて印刷出力又は冠婚葬祭の式典会場で映像出力、或いは音声出力するシステムが知られている（例えば特許文献１参照）。
【０００３】
また、所定の文字メッセージを送信する場合において、送信されてきた文字情報を受信回路で受信し、告知時刻になったらスピーカから告知音を発生させると同時に表示器に表示するシステムが知られている（例えば特許文献２参照）。
【０００４】
従来の放送は、放送設備のマイク等の集音設備に向かって実施している。文字放送については、専用の装置でテロップを作成し、専用の設備から放映することになる。この場合、一つの原稿からそれぞれの放送ソースを作成する必要がある。定時放送についても、放送ソースを作成して放送時刻の設定を行なうことで実施している。
【０００５】
音声を一度媒体（オーディオテープ、ＭＤ等）に録音してから放送する仕組みは存在するが、あくまでも音声（オーディオ信号）情報として蓄積しているものである。いずれにしても、文字情報を音声放送、文字放送の共通の放送ソースとして運用しているものではない。
【０００６】
【特許文献１】
特開２００２−２４７３２８号公報（第３頁、第４頁、図１）
【特許文献２】
特開平１１−３５５４６９号公報（第３頁、第４頁、図１）
【０００７】
【発明が解決しようとする課題】
音声情報を記録する媒体としては、オーディオテープ、ＭＤ、メモリ等いろいろな装置は存在するが、あくまでも音声としての情報の記録であり、録音、編集は音声としての情報を扱うものであり、リアルタイムの放送についても、マイク等を備える専用の装置からの操作が必要であり、専門のオペレータを必要とする。また、放送の履歴管理については、放送原稿と放送設備の放送履歴情報を同時に管理保管する必要があり、非常に面倒である。
【０００８】
また、セキュリティについては、放送設備そのものを不特定多数の人が出入りする場所に設置するのは困難であるため、特定の者しか使用できないという点では守られているが、その反面、不特定多数の人が簡単に放送を実施するということは難しく、やはり専任のオペレータを介しての放送しかできないのが現状である。
【０００９】
本発明はこのような課題に鑑みてなされたものであって、放送情報の取り扱いが簡単で、しかも専門の知識がなくても放送を行なうことができる放送システムを提供することを目的としている。
【００１０】
【課題を解決するための手段】
放送を実施することは、何らかの専用の装置を操作して音声情報を電気信号に変えて拡声器から流すことであり、専用の装置を操作することが大きな妨げとなって不特定多数からの放送を困難なものにしている。これを専用の放送装置に触れることなく、携帯電話やインターネットに接続されたパソコンのメール送信機能を利用して文字情報（テキスト）として、放送内容の原稿として登録する。
【００１１】
この時、放送内容の原稿の登録が可能か否かのチェックを行なう必要がある場合には、事前にメールアカウントやパスワードの設定・登録をしておくことで対応が可能である。放送履歴についても、受信したメールそのものが原稿であるため、メールの保存と放送装置への起動時間の記録を行なうことで履歴の管理が可能である。放送内容を確認する場合についても、放送原稿であるメールを一度管理者宛てに送付し、原稿内容を確認の上、問題がなければシステム宛てに回送することで対応が可能である。
（１）請求項１記載の発明は、以下の通りである。図１は本発明の原理ブロック図である。図において、１はネットワーク、２は該ネットワーク１からのメールを受信するメールサーバ機能部、３は該メールサーバ機能部２からの信号を受けてデータベースを参照して、回送メールの内容の正常性の確認と、メール送信者の資格の確認を行なう入力チェック部である。
【００１２】
４は放送許可者、放送履歴及びスケジュールを記憶するデータベース、５はテキストデータを音声データ又はオーディオデータに変換すると共に、前記データベース４を参照して放送依頼者、放送日時を登録する放送原稿管理部、６は前記データベース４の内容を定期的に巡回確認し、放送を実施する必要があるものが登録されているかを監視するスケジュール管理部、７は放送設備の起動条件にあった情報を編集する出力／起動制御部、８は全体の動作を制御する全体制御部である。全体制御部８としては、例えばＣＰＵが用いられる。２０は出力／起動制御部７の出力を受けて音声を発生する放送設備である。該放送設備２０としては、既存のものを用いることができる。
【００１３】
このように構成すれば、ネットワーク１を経由して電子メールで送られてきたテキスト情報を放送原稿管理部５で音声データに変換して出力／起動制御部７から放送設備２０に送出することで、テキスト情報を音声として放送することが可能となる。
【００１４】
従って、本発明によれば、放送情報の取り扱いが簡単で、しかも専門の知識がなくても放送を行なうことができる。また、本発明によれば、紙を一切使用しないので、資源の節約を行なうことができる。また、しゃべれない身体障害者（例えば聾唖者）も自分の意志を文書データ（テキストデータ）に変換することができれば、放送することができるので、都合がよい。
【００１５】
この発明において、前記放送原稿管理部は、第１の言語を第２の言語に翻訳する翻訳機能部を有することを特徴とする。
【００１６】
このように構成すれば、翻訳機能部を持つことにより、例えば日本語を英語等の外国語に、英語等の外国語を日本語に翻訳して放送することが可能となる。
【００１７】
また、この発明において、前記出力／起動制御部と放送設備間に放送設備のハードウェア条件により起動した放送を実施する外部インタフェース制御部を設け、前記データベースに起動する放送設備の接続形態を登録しておくことを特徴とする。
【００１８】
このように構成すれば、音声データで渡す場合や、音声信号で渡す場合、その起動についてもプログラマブルな制御や接点（メーク，ブレーク）信号による起動等の種々の条件の中から選択的な起動を可能とすることができる。
【００１９】
また、この発明において、前記データベースは、放送許可者の記憶を行なう放送許可者データベースと、放送の履歴を記憶する放送履歴管理データベースと、放送スケジュールを記憶するスケジュール管理データベースより構成されることを特徴とする。
【００２０】
このように構成すれば、放送許可者データベースと、放送履歴管理データベースと、スケジュール管理データベースを設けることにより、テキストデータを音声データに変換して放送を行なうことができ、しかも、放送履歴の管理がメールを送信した時点で分かるので、管理が容易になる。
【００２１】
また、この発明において、前記放送許可者データベースにメールアカウント、認証用のＩＤを登録しておき、外部よりメール送信があった時の認証登録者以外のアクセスを拒否することを特徴とする。
【００２２】
このように構成すれば、登録者以外のアクセスを拒否することができ、セキュリティを保持することができる。
【００２３】
【発明の実施の形態】
以下、図面を参照して本発明の実施の形態例を詳細に説明する。
【００２４】
図２は本発明の一実施の形態例を示すブロック図である。図１と同一のものは、同一の符号を付して示す。図において、１はネットワーク、２は該ネットワーク１からのメールを受信するメールサーバ機能部、３は該メールサーバ機能部２からの信号を受けてデータベースを参照して、回送メールの内容の正常性の確認と、メール送信者の資格の確認を行なう入力チェック部、４は放送許可者、放送履歴及びスケジュールを記憶するデータベース、５はテキストデータを音声データ又はオーディオデータに変換すると共に、前記データベース４を参照して放送依頼者、放送日時を登録する放送原稿管理部、６は前記データベース４の内容を定期的に巡回確認し、放送を実施する必要があるものが登録されているかを監視するスケジュール管理部、７は放送設備の起動条件にあった情報を編集する出力／起動制御部、８は全体の動作を制御する全体制御部である。全体制御部８としては、例えばＣＰＵが用いられる。２０は出力／起動制御部７の出力を受けて音声を発生する放送設備である。
【００２５】
９はインターネット１と接続され、内部システムを外部の侵入から守るＦ／Ｗ機能部である。ここで、Ｆ／ＷはＦｉｒｅ／Ｗａｌｌの略であり、防火壁の意味である。１０は本サービスに加入している人のＩＤ等の登録を行なうコンソールである。５ａは放送原稿管理部５内に設けられた第１の言語から第２の言語への変換を行なう翻訳機能部、５ｂは放送原稿管理部５内に設けられたテキスト文書（ｔｘｔ）から音声データ（ｗａｖ）への変換を行なう文書／音声変換部である。
【００２６】
このように、本発明によれば、放送許可者データベース４ａと、放送履歴管理データベース４ｂと、スケジュール管理データベース４ｃを設けることにより、テキストデータを音声データに変換して放送を行なうことができ、しかも、放送履歴の管理がメールを送信した時点で分かるので、管理が容易になる。
【００２７】
１１はシステムデータを記憶するシステムデータ・データベースである。１２は、出力／起動制御部７と放送設備２０間に接続され、実際の放送設備２０のハードウェア条件により起動し、放送を実施する外部インタフェース制御部である。
【００２８】
図に示したメールサーバ機能部２〜外部インタフェース制御部１２までを放送制御装置と呼ぶことにする。このように構成されたシステムの動作を説明すれば、以下の通りである。先ず、本発明を実施するためには、放送許可者データベース４ａに予め放送許可者の登録をしておく必要がある。具体的には、コンソール１０から放送許可者データベース４ａに、放送を実施すること（システムにアクセスできること）の許可のためのデータを登録する。登録するデータとしては、例えばメールアカウント及び認証用のＩＤが考えられる。このようにしておけば、外部よりメール送信があった時の認証登録者以外のアクセスを拒否することができ、セキュリティを保持することができる。
【００２９】
図３は放送許可者データベース４ａの構成例を示す図である。図に示すように、メールアカウントと、ＩＤと、放送対象地区と、有効期限とから構成されている。このデータベースに示されているように、メールアカウント毎に放送対象地区（放送グループ）とアクセス可能な有効期限を設けることで、不要な放送の流出を防ぐことができる。
【００３０】
有効なメールアカウントを持つアクセス有資格者からメールやＷｅｂ経由での放送依頼があったものとする。メールサーバ機能部２では、このメールを受信して入力チェック部３に与える。入力チェック部３は、メールサーバ機能部２からの回送メールの内容の正常性、送信者の資格の確認を放送許可者データベース４ａを参照して行なう。
【００３１】
入力チェックが行われたテキストメールは、全体制御部８に通知される。全体制御部８はこのテキストメールを受けて、放送原稿管理部５を起動し、該放送原稿管理部５は、アクセス日時を登録日とし、ＩＤを登録者ＩＤとして放送履歴管理データベース４ｂに記憶する。同時に、放送内容部分を原稿ファイルとしてスケジュール管理データベース４ｃに記憶する。
【００３２】
次に、文書／音声変換部５ｂは、スケジュール管理データベース４ｃに記憶されて放送原稿を読み出して、テキストデータを放送用のｗａｖファイルに変換する。この場合において、文書／音声変換部５ｂで変換する際に、登録者からの依頼により、第１の言語から第２の言語に変換する必要が発生した場合（例えば日本語から英語への変換）、翻訳機能部５ａは、テキストデータの時点で翻訳を実施する。このようにすれば、翻訳された言語を音声データに変換することができ、例えば日本語を英語等の外国語に、英語等の外国語を日本語に翻訳して放送することが可能となる。
【００３３】
このようにして作成された音声データは、スケジュール管理データベース４ｃに記憶される。この時、図３の有効期限の有効性も確認しておく。
【００３４】
本発明によれば、前記出力／起動制御部７と放送設備２０間に放送設備のハードウェア条件により起動した放送を実施する外部インタフェース制御部１２を設け、前記データベース４ａ〜４ｃに起動する放送設備の接続形態を登録しておくようにしている。このようにすれば、音声データで渡す場合や、音声信号で渡す場合、その起動についてもプログラマブルな制御や接点（メーク，ブレーク）信号による起動等の種々の条件の中から選択的な起動を可能とすることができる。
【００３５】
図４はスケジュール管理データベースの構成例を示す図である。図に示すように、放送日と、放送時間と、使用する言語と、放送回数と、放送種別と、使用ファイル名と、完了フラグとで構成されている。例えば、最初に登録されている内容は、放送日が２００２年、９月９日、放送時間が１３：００、放送言語が日本語、放送回数が１回、放送種別が告知放送、使用ファイル名が「迷子探し．ｗａｖ」、完了フラグは「未」である。完了フラグは、放送を実行した場合に“１”を立て（既）、放送が実行されていない場合に“０”（未）が設定される。
【００３６】
図５は放送履歴管理データベース４ｂの構成例を示す図である。図に示すように、登録日と、登録者ＩＤと、原稿ファイル名と、放送用ファイル名と、放送完了日とが設けられている。全体制御部８は出力／起動制御部７を起動し、該出力／起動制御部７は、図５に示すように作成後登録された放送用ファイルを、図４に示すスケジュール管理データベース４ｃに登録された時刻、言語、回数等の条件に従い放送設備２０を動作させる。
【００３７】
スケジュール管理部６は、スケジュール管理データベース４ｃを所定の周期でて監視しており、放送時刻に放送を行なうものが登録されていた場合、放送用ファイル名、放送時間、放送回数及び登録者ＩＤより図３に示す放送許可者データベース４ａの放送許可者データベースの放送対象地区を抽出して出力／起動制御部７を起動する。出力／起動制御部７の出力は、外部インタフェース制御部１２を介して放送設備２０に供給され、放送が行なわれる。
【００３８】
本発明では、放送許可者データベース４ａに対して、コンソール１０から予め放送登録の許可を与えようとする人（メールのアカウント）を登録することにより、アクセスを可能としている。登録した人に対しては、決められたフォーマットで放送（メール送信）を登録するように依頼する。
【００３９】
図６は携帯電話からの入力フォーマット例を示す図である。携帯電話から放送依頼を行なう時のフォーマットは予め図６に示すように決められているものとする。入力される内容は、ＩＤ、放送日、放送開始時刻、放送回数／間隔、言語、本文である。ここでは、ＩＤは「ａｂｃｄｅｆ」、放送日は「本日」、放送開始時刻は「１１：００」、放送回数／間隔は「３回／３０分」、言語は「日本語」、本文（放送原稿）は「ほんじつ１０じよりすてーじにおいてはっぴょうかい…」である。
【００４０】
図７は本発明の動作シーケンス例を示す図である。図は放送依頼者（携帯電話）と装置（放送制御装置）間のデータのやりとりを示している。先ず、放送依頼者側から装置側に対して登録依頼の通知を行なう（Ｓ１）。装置側では、入力チェック部３がメールを受け付け、放送許可者データベース４ａを参照して許可されている放送依頼者であるかどうかをチェックする（Ｓ２）。そして、許可されている放送依頼者である場合には、放送依頼者のメールアドレスをメールサーバ機能部２に登録するする（Ｓ３）。次に装置側から、放送依頼者に宛てて受付完了通知を行なう（Ｓ４）。
【００４１】
受付完了通知を受けた放送依頼者側では、Ａに示すような内容を入力し、装置側に対して放送登録依頼を行なう（Ｓ５）。装置側では、この登録依頼を受け付けると（Ｓ６）、ＩＤにより前記放送許可者データベース４ａを参照して正規登録者であるかどうかを確認する。そして、放送条件を確認し、問題がなければ放送履歴管理データベース４ｂに所定の事項（原稿ファイル名、放送ファイル名等）を登録する。
【００４２】
装置側では、放送原稿管理部５の文書／音声変換部５ｂが抽出した本文（テキスト文書）を、放送可能な音声ファイルに形式変換を行なう。なお、言語を変更する場合には、翻訳機能部５ａが第１の言語を第２の言語に翻訳した後、翻訳したテキスト文書を音声ファイルに変換する（Ｓ７）。放送原稿管理部５は、スケジュール管理データベース４ｃに放送日、放送時間、言語、回数等を登録する。この処理が終わったら、登録の結果をメールにて放送依頼者側に通知する（Ｓ８）。
【００４３】
スケジュール管理部６は、スケジュール管理データベース４ｃを定期的に監視し、放送しなければならないものがあるかを確認する（Ｓ９）。そして、放送を実施する必要がある登録内容から使用ファイル名を抽出する（Ｓ１０）。そして、変換した音声ファイルを音源として放送開始時刻に放送設備２０を起動する（Ｓ１１）。
【００４４】
このようにして、出力／起動制御部７から放送設備２０が起動されると（Ｓ１２）、放送設備２０から放送が流れる（Ｓ１３）。放送が終了すると、放送設備２０から放送結果が装置に通知される（Ｓ１４）。この通知を受けて、装置側では、放送正常終了でスケジュール管理データベース４ｃの完了とし、放送で使用した音声ファイル等の履歴を放送履歴管理データベース４ｂに登録する（Ｓ１５）。以上の処理が終了すると、装置は放送依頼者側に対して放送結果通知を行なう（Ｓ１６）。
【００４５】
このように、本発明によれば、館内放送のために専任オペレータの配置は基本的に不要となる。また、機能そのものは、従来技術の範囲で実現が可能であることから、パソコン程度の処理能力で実現可能なため、パソコンを置く設置スペースがあれば、対応が可能である。また、放送実施者の登録を制限することで、セキュリティ、不要放送の規制が可能である。また、本発明によれば、紙を一切使用しないので、資源の節約を行なうことができる。また、しゃべれない身体障害者（例えば聾唖者）も自分の意志を文書データ（テキストデータ）に変換することができれば、放送することができるので、都合がよい。
【００４６】
（付記１）  ネットワークからのメールを受信するメールサーバ機能部と、
該メールサーバ機能部からの信号を受けてデータベースを参照して、回送メールの内容の正常性の確認と、メール送信者の資格の確認を行なう入力チェック部と、
放送許可者、放送履歴及びスケジュールを記憶するデータベースと、
テキストデータを音声データ又はオーディオデータに変換すると共に、前記データベースを参照して放送依頼者、放送日時を登録する放送原稿管理部と、
前記データベースの内容を定期的に巡回確認し、放送を実施する必要があるものが登録されているかを監視するスケジュール管理部と、
放送設備の起動条件にあった情報を編集する出力／起動制御部と、
全体の動作を制御する全体制御部と、
により構成される放送システム。
【００４７】
（付記２）  前記放送原稿管理部は、第１の言語を第２の言語に翻訳する翻訳機能部を有することを特徴とする付記１記載の放送システム。
【００４８】
（付記３）  前記出力／起動制御部と放送設備間に放送設備のハードウェア条件により起動した放送を実施する外部インタフェース制御部を設け、前記データベースに起動する放送設備の接続形態を登録しておくことを特徴とする付記１記載の放送システム。
【００４９】
（付記４）  前記データベースは、放送許可者の記憶を行なう放送許可者データベースと、放送の履歴を記憶する放送履歴管理データベースと、放送スケジュールを記憶するスケジュール管理データベースより構成されることを特徴とする付記１記載の放送システム。
【００５０】
（付記５）  前記放送許可者データベースにメールアカウント、認証用のＩＤを登録しておき、外部よりメール送信があった時の認証登録者以外のアクセスを拒否することを特徴とする付記４記載の放送システム。
【００５１】
【発明の効果】
以上説明したように、本発明によれば、以下の効果が得られる。
（１）請求項１記載の発明によれば、ネットワークを経由して電子メールで送られてきたテキスト情報を放送原稿管理部５で音声データに変換して出力／起動制御部７から放送設備に送出することで、テキスト情報を音声として放送することが可能となる。
【００５２】
従って、本発明によれば、放送情報の取り扱いが簡単で、しかも専門の知識がなくても放送を行なうことができる。また、本発明によれば、紙を一切使用しないので、資源の節約を行なうことができる。また、しゃべれない身体障害者（例えば聾唖者）も自分の意志を文書データ（テキストデータ）に変換することができれば、放送することができるので、都合がよい。
【図面の簡単な説明】
【図１】本発明の原理ブロック図である。
【図２】本発明の一実施の形態例を示すブロック図である。
【図３】放送許可者データベースの構成例を示す図である。
【図４】スケジュール管理データベースの構成例を示す図である。
【図５】放送履歴管理データベースの構成例を示す図である。
【図６】携帯電話からの入力フォーマット例を示す図である。
【図７】本発明の動作シーケンス例を示す図である。
【符号の説明】
１  ネットワーク
２  メールサーバ機能部
３  入力チェック部
４  データベース
５  放送原稿管理部
６  スケジュール管理部
７  出力／起動制御部
８  全体制御部
２０  放送設備
【図１】
2004289616.tif 000003
【図２】
2004289616.tif 000004
【図３】
2004289616.tif 000005
【図４】
2004289616.tif 000006
【図５】
2004289616.tif 000007
【図６】
2004289616.tif 000008
【図７】
2004289616.tif 000009